(57)【要約】  【課題】  少なくとも印刷装置を特定する自機情報及び印刷日時を属性情報として画像データとともに印刷出力することができ、ユーザに負担をかけることなく、放置されている印刷済み用紙の処理を容易にした画像形成装置を提供する。  【解決手段】  制御部１０は、タイマ２１から読み出した日時情報、自機情報記憶部１２ａから読み出した自機情報（機械設置部署名及び機械番号）、及び端末情報記憶部１２ｂから読み出した端末情報（端末設置部署名及び使用者名）、又は個人情報記憶部１２ｃから読み出した個人情報（所属部署名及び個人名）をデコーダ２３にてビットイメージの属性データに変換してページメモリ２６に格納し、ページメモリ２６から読み出した属性データを記録部２５にて記録用紙の裏面に印刷出力させる。【選択図】        図１
2006315209.tif 000002
【特許請求の範囲】
【請求項１】
記録媒体上に画像を形成する画像形成装置において、
自機情報を記憶する記憶手段と、
該記憶手段に記憶されている自機情報を記録媒体上に形成する形成手段とを備えることを特徴とする画像形成装置。
【請求項２】
画像の形成時における日時情報を保持する時計手段を備え、前記形成手段は、前記時計手段に保持されている日時情報、及び前記記憶手段に記憶されている自機情報を記録媒体上に形成することを特徴とする請求項１に記載の画像形成装置。
【請求項３】
記録媒体上に画像を形成する画像形成装置において、
使用者を特定する使用者情報を取得する取得手段と、
取得された使用者情報を記録媒体上に形成する形成手段とを備えることを特徴とする画像形成装置。
【請求項４】
ネットワークに接続され、該ネットワーク上の装置から送信されてきたデータを画像として記録媒体上に形成する画像形成装置において、
送信されてきたデータから、送信元の装置を特定する装置情報を抽出する抽出手段と、
前記抽出手段により抽出された装置情報を記録媒体上に形成する形成手段とを備えることを特徴とする画像形成装置。
【請求項５】
前記形成手段は、自機情報、日時情報、使用者情報、又は装置情報を目視では解読不能である画像として記録媒体上に形成することを特徴とする請求項１から４のいずれか一項に記載の画像形成装置。
【発明の詳細な説明】
【技術分野】
【０００１】
本発明は、原稿を読み取って得られた画像データ、又はＬＡＮ（Local Area Network）などのネットワークに接続されているＰＣ（パーソナルコンピュータ）などの端末装置から送信されてきた文字データ及び画像データを顕像化して記録媒体上に形成する画像形成装置に関する。
【背景技術】
【０００２】
従来より、スキャナにより原稿を読み取って得られた画像データをプリントアウトする、又はモデム等の通信装置を備え、外部のファクシミリ装置から公衆電話回線網を介して送信されてきた画像データをプリントアウトする、或いはＬＡＮインタフェース等のネットワーク・インタフェースを備え、ネットワーク接続された外部のＰＣからＬＡＮを介して送信されてきた文字データ及び画像データをプリントアウトするデジタル複合機（以下、複合機という）が知られている。
【０００３】
斯かる複合機のうち、ファクシミリ機能を有する複数の複写装置に対して、遠隔のサーバマシンがポーリングを行って各複写装置の利用状況をファクシミリ通信により管理するシステムが提案されている（例えば、特許文献１参照）。このシステムでは、サーバマシンが、各複写装置の使用者、名称（マシン番号）、日付、時間、月別及び総使用枚数等をファクシミリ通信により取得し、プリントアウトすることができる。これらの利用状況は、複写装置の保守料金を算出するために用いられている。
【０００４】
また、上述の複合機がＬＡＮ等にネットワーク接続されている場合、外部のＰＣのアプリケーションによっては、ＰＣ上で作成した文字データ及び画像データファイルのファイル名、印刷日時等のファイル属性情報をヘッダー又はフッターとして、文字データ及び画像データとともに複合機にてプリントアウトすることができる。
【特許文献１】特開平７−２８７４８１号公報
【発明の開示】
【発明が解決しようとする課題】
【０００５】
しかし、上述の複合機において、スキャナにより原稿を読み取って得られた画像データをプリントアウトした用紙が放置されていた場合、事務処理の担当者は、いつ、誰が、何処でプリントアウトした用紙であるのか分からず、放置されている印刷済み用紙をどのように処理してよいのか困る場合がある。
【０００６】
一方、ＬＡＮ等にネットワーク接続された複合機に外部のＰＣから文字データ及び画像データをプリントアウトする場合、印刷済み用紙に関する情報として、文字データ及び画像データファイルのファイル名、印刷日時等のファイル属性情報をプリントアウトすることができるが、ユーザはファイル属性情報をＰＣ上でファイル毎に設定する必要があり、ユーザにとって煩雑なものであった。
【０００７】
本発明は、斯かる事情に鑑みてなされたものであり、その目的は、印刷装置を特定する自機情報（及び印刷日時）を属性情報として画像データとともに印刷出力することができ、ユーザに負担をかけることなく、放置されている印刷済み用紙の処理を容易にした画像形成装置を提供することにある。
【０００８】
本発明の他の目的は、使用者を特定する使用者情報（個人情報）を属性情報として画像データとともに印刷出力することができ、ユーザに負担をかけることなく、放置されている印刷済み用紙の処理を容易にした画像形成装置を提供することにある。
【０００９】
本発明の他の目的は、ネットワーク接続された外部の装置（端末装置）を特定する装置情報（端末情報）を属性情報として文字データ及び画像データとともに印刷出力することができ、ユーザに負担をかけることなく、放置されている印刷済み用紙の処理を容易にした画像形成装置を提供することにある。
【００１０】
本発明の更なる他の目的は、前記属性情報を目視では解読不能である画像として印刷出力することができ、個人情報等の漏洩を防止することが可能な画像形成装置を提供することにある。
【課題を解決するための手段】
【００１１】
前記目的を達成するため、第１発明に係る画像形成装置は、記録媒体上に画像を形成する画像形成装置において、自機情報を記憶する記憶手段と、該記憶手段に記憶されている自機情報を記録媒体上に形成する形成手段とを備えることを特徴とする。
【００１２】
第１発明では、自機情報を属性情報として画像データとともに印刷出力する。これにより、印刷済み用紙を見ただけで、何処の装置（例えば、どの部署の何号機）で印刷が行われたかを知ることができ、放置されている印刷済み用紙の持ち主に対して電子メールの一斉送信等により間接的に注意を促すことが可能となる。
【００１３】
第２発明に係る画像形成装置は、画像の形成時における日時情報を保持する時計手段を備え、前記形成手段は、前記時計手段に保持されている日時情報、及び前記記憶手段に記憶されている自機情報を記録媒体上に形成することを特徴とする。
【００１４】
第２発明では、前記自機情報と日時情報とを属性情報として画像データとともに印刷出力する。これにより、印刷済み用紙を見ただけで、何処の装置（例えば、どの部署の何号機）で、いつ印刷が行われたかを知ることができ、放置されている印刷済み用紙の持ち主に対して電子メールの一斉送信等により間接的に注意を促すことが可能となる。
【００１５】
第３発明に係る画像形成装置は、記録媒体上に画像を形成する画像形成装置において、使用者を特定する使用者情報を取得する取得手段と、取得された使用者情報を記録媒体上に形成する形成手段とを備えることを特徴とする。
【００１６】
第３発明では、画像形成装置の使用者を特定する使用者情報（個人情報）を属性情報として画像データとともに印刷出力する。これにより、印刷済み用紙を見ただけで、（どの部署の）誰が印刷したかものであるかを知ることができ、放置されている印刷済み用紙の持ち主に対して電話、電子メール等で直接的に注意を促すか、又は印刷済み用紙を持ち主に手渡すことが可能となる。
【００１７】
第４発明に係る画像形成装置は、ネットワークに接続され、該ネットワーク上の装置から送信されてきたデータを画像として記録媒体上に形成する画像形成装置において、送信されてきたデータから、送信元の装置を特定する装置情報を抽出する抽出手段と、前記抽出手段により抽出された装置情報を記録媒体上に形成する形成手段とを備えることを特徴とする。
【００１８】
第４発明では、文字データ及び／又は画像データの送信元の装置（端末装置）を特定する装置情報（端末情報）を属性情報として文字データ及び／又は画像データとともに印刷出力する。これにより、印刷済み用紙を見ただけで、（どの部署の）誰がネットワーク印刷したものであるかを知ることができ、放置されている印刷済み用紙の持ち主に対して電話、電子メール等で直接的に注意を促すか、又は印刷済み用紙を持ち主に手渡すことが可能となる。
【００１９】
第５発明に係る画像形成装置は、第１から第４発明に係る画像形成装置のいずれかにおいて、前記形成手段は、自機情報、日時情報、使用者情報、又は装置情報を目視では解読不能である画像として記録媒体上に形成することを特徴とする。
【００２０】
第５発明では、自機情報、日時情報、使用者情報、又は装置情報を属性情報として目視では解読不能である画像（例えば、１次元のバーコード、２次元のＱＲ（Quick Response）コードの画像）として印刷出力する。印刷済み用紙を、例えば属性確認機能を有するスキャナ（又は、バーコードリーダ、ＱＲコードリーダ）により読み取り、コード化された属性情報を抽出し、属性情報の内容を解読して、表示又は印刷する。これにより、個人情報等の漏洩を防止することが可能となる。
【発明の効果】
【００２１】
本発明によれば、印刷装置を特定する自機情報（及び印刷日時）を属性情報として画像データとともに印刷出力することができ、ユーザに負担をかけることなく、放置されている印刷済み用紙の処理を容易にすることが可能となる。
【００２２】
また、個人情報を属性情報として画像データとともに印刷出力することができ、ユーザに負担をかけることなく、放置されている印刷済み用紙の処理を容易にすることが可能となる。
【００２３】
また、ネットワーク接続された外部の端末装置を特定する端末情報を属性情報として文字データ及び画像データとともに印刷出力することができ、ユーザに負担をかけることなく、放置されている印刷済み用紙の処理を容易にすることが可能となる。
【００２４】
更に、属性情報を目視では解読不能である画像として印刷出力することができ、個人情報等の漏洩を防止することが可能となる。
【発明を実施するための最良の形態】
【００２５】
以下、本発明に係る画像形成装置を複合機に適用した実施の形態に基づいて詳述する。図１は、本発明に係る複合機の構成例を示すブロック図である。本実施の形態の複合機１は制御中枢としての制御部１０を備えており、制御部１０は、バス１ａを介して接続される以下のようなハードウェア各部の動作を制御し、一連の手順に従って受け付けた操作を順次実行する。
【００２６】
バス１ａには、ＲＯＭ１１、ＲＡＭ１２、ＮＣＵ(Network Control Unit)１３、モデム１４、画像読取部１５、読取画像処理部１６、ＣＯＤＥＣ１７、画像メモリ１８、操作部１９、表示部２０、時計手段としてのタイマ２１、ＬＡＮに接続するためのＬＡＮインタフェース２２、符号化された画像データを復号するデコーダ２３、印刷画像処理部２４、記録部２５、ページメモリ２６等が接続されている。
【００２７】
制御部１０は、具体的にはＣＰＵ(Central Processing Unit) 又はＭＰＵ（Micro Processor Unit）等で構成されており、ＲＯＭ１１に格納された制御プログラムに従って、種々のソフトウェア的機能を実現する。なお、ＲＯＭ１１は、複合機１を本発明の画像形成装置として動作させるために必要な種々の制御プログラムを予め記憶している。
【００２８】
ＲＡＭ１２は、ＳＲＡＭ又はフラッシュメモリ等で構成されており、制御部１０による制御プログラムの実行時に発生するデータを一時的に記憶する。また、ＲＡＭ１２は、属性情報として、複合機１を特定する自機情報（例えば、複合機１の設置部署名及び機械番号）を格納している自機情報記憶部１２ａと、ネットワーク接続された外部の端末装置３０、３１、３２を特定する端末情報（例えば、端末設置部署名及び使用者名）を各端末装置のＩ／Ｐアドレスと対応付けて格納している端末情報記憶部１２ｂと、コピーモード時における複合機１の使用者を特定する個人情報（例えば、所属部署名及び端末使用者名）を個人ＩＤと対応付けて格納している個人情報記憶部１２ｃとを備えている。なお、自機情報記憶部１２ａ、端末情報記憶部１２ｂ、及び個人情報記憶部１２ｃには、対応する属性情報がキャラクタコードで格納されている。
【００２９】
モデム１４は、ファクシミリ通信が可能なファックスモデムで構成されており、ＮＣＵ１３と直接的にも接続されている。ＮＣＵ１３は、公衆電話回線網ＰＳＴＮと接続されており、必要に応じてモデム１４を公衆電話回線網ＰＳＴＮと接続し、公衆電話回線網ＰＳＴＮを介して外部の装置との間でのファクシミリ通信を可能としている。
【００３０】
画像読取部１５は、ＣＣＤ(Charge Coupled Device)等を利用したスキャナで構成されており、原稿を読み取って画像データ（画像信号）を取得し、取得した画像データを読取画像処理部１６へ出力する。読取画像処理部１６は、画像読取部１５から出力された画像データに対して、画像読取部１５に含まれる照明系、結像系及び撮像系で生じた各種の歪みを取り除くシェーディング補正処理、各種の色調整処理等を行ない、処理した画像データをＣＯＤＥＣ１７へ出力する。
【００３１】
ＣＯＤＥＣ１７は、画像データに例えばＭＨ，ＭＲ，ＭＭＲ，ＪＢＩＧ等の方式に基づく符号化処理を行なうものであり、読取画像処理部１６から取得した画像データに所定の符号化処理を行ない、得られた画像データを画像メモリ１８に一旦記憶させる。また、制御部１０は、画像メモリ１８に記憶された画像データに基づく画像の形成処理を行なう場合、ＣＯＤＥＣ１７にて符号化された画像データを画像メモリ１８から読み出し、デコーダ２３にて復号処理を行なった後、印刷画像処理部２４へ出力する。
【００３２】
更に、制御部１０は、目視では解読不能であるようにコード化された属性情報に基づく画像の形成処理を行う場合、タイマ２１から読み出した、画像の形成時における日付及び時刻を表す日時情報、自機情報記憶部１２ａから読み出した自機情報、画像送信元の端末装置のＩ／Ｐアドレスに対応付けて端末情報記憶部１２ｂから読み出した端末情報、及び照合された個人ＩＤに対応付けて個人情報記憶部１２ｃから読み出した個人情報を、１次元のバーコード又は２次元のＱＲコード（登録商標）に変換し、ページメモリ２６に出力する。
【００３３】
印刷画像処理部２４は、ページメモリ２６から読み出されたビットイメージの属性データに対して、輝度／濃度変換（γ補正処理）、拡大／縮小処理、各種の色調整処理等を行い、処理した文字データ及び画像データと属性データとを記録部２５に出力する。
【００３４】
画像メモリ１８は、ＤＲＡＭ又はフラッシュメモリ等により構成されており、画像読取部１５により原稿から読み取られて読取画像処理部１６及びＣＯＤＥＣ１７により所定の処理が施された画像データ、モデム１４及びＮＣＵ１３を介したファクシミリ通信により受信した画像データ、及びＬＡＮインタフェース２２を介して外部の端末装置３０、３１、３２から受信した文字データ及び画像データ等を一時的に記憶する。
【００３５】
なお、画像メモリ１８に記憶してある画像データを外部のファクシミリ装置へファクシミリ送信する場合、制御部１０は、ＣＯＤＥＣ１７にて符号化された画像データを画像メモリ１８から読み出し、モデム１４及びＮＣＵ１３を介して外部のファクシミリ装置へ送信する。また、画像メモリ１８に記憶してある画像データをＬＡＮに接続してある外部の端末装置３０、３１、３２へ送信する場合、制御部１０は、ＣＯＤＥＣ１７にて符号化された画像データを画像メモリ１８から読み出し、ＬＡＮインタフェース２２を介して外部へ送信する。
【００３６】
記録部２５は、例えば電子写真方式の両面プリンタ装置であって、画像メモリ１８から読み出されてＣＯＤＥＣ１７にて復号処理が施され、印刷画像処理部２４にて各種画像処理が施された画像データに基づく画像を、ハードコピーとしてＡ３縦，Ｂ４縦，Ａ４縦，Ｂ５横及びＡ５横等の各サイズの記録紙又はＯＨＰ(Over Head Projector) シート等（以下では、記録用紙という）から最適なサイズのものを選択して記録用紙の表面に記録し、中間トレイ（図示せず）に搬送し一時的に格納する。また、記録部２５は、画像データに基づく画像の形成が終了した後、ページメモリ２６から読み出されて印刷画像処理部２４にて各種画像処理が施された属性データに基づく画像を、中間トレイより搬送した記録用紙の裏面の所定位置に記録する。
【００３７】
操作部１９は、複合機１を操作するために必要なテンキー、短縮ダイヤルキー、スタートキー及び各種のファンクションキー等を備えている。表示部２０は、液晶ディスプレイ（ＬＣＤ）等の表示装置であり、複合機１の動作状態、複合機１として表示すべき表示画面、操作部１９から入力された情報、ユーザに通知すべき情報等を表示する。尚、表示部２０をタッチパネル方式のものとすることにより、操作部１９の各種のキーのうちの一部又は全部を代用することも可能である。また、コピーモード時において、操作部１９から複合機１の使用者を特定する個人ＩＤが入力された場合、制御部１０は、入力された個人ＩＤを、複合機１の使用を許可しているＲＡＭ１２に予め登録された個人ＩＤと照合し、照合の結果一致した場合、個人ＩＤに対応する個人情報をＲＡＭ１２の個人情報記憶部１２ｃから読み出してＲＡＭ１２のワークエリアに一時的に格納する。
【００３８】
次に、上述した構成の複合機１による印刷出力処理について説明する。図２は、複合機１による印刷出力ルーチンの処理手順を示すフローチャートである。なお、以下の処理は、ＲＯＭ１１に格納されている制御プログラムに従って制御部１０により実行される。
【００３９】
原稿が自動原稿搬送装置（図示せず）に載置された場合、又はＬＡＮに接続された外部の端末装置３０、３１、３２から印刷ジョブが発行された場合、制御部１０は、記録部２５を待機状態から印刷開始状態へと起動する（ステップＳ２０１）。記録部２５の印刷準備が整った、特に記録部２５内の定着装置（図示せず）の定着温度が設定温度に達したとき（ステップＳ２０２：ＹＥＳ）、記録部２５は、用紙カセットから選択されたサイズの記録用紙を給紙し（ステップＳ２０３）、原稿を読み取って取得した画像データ、又は外部の端末装置３０、３１、３２から送信されてきた画像データを記録用紙の表面に印刷出力する（ステップＳ２０４）。１ページ目の画像データの印刷が終了すると、記録部２５は、表面印刷された用紙を中間トレイに搬送して格納する（ステップＳ２０５）。
【００４０】
次に、制御部１０は、２ページ目の画像データが有るか否かを判断し（ステップＳ２０６）、有る場合（ステップＳ２０６：ＹＥＳ）、ステップＳ２０３へと処理を戻しステップＳ２０４、Ｓ２０５、及びＳ２０６での処理を繰り返す。最終ページの画像データに基づく印刷である場合（ステップＳ２０６：ＮＯ）、制御部１０は、日時情報、自機情報、端末情報、及び個人情報を含む属性情報の画像データ生成処理工程（ステップＳ２０７）に進む。属性情報の画像データ生成処理工程Ｓ２０７については、後ほど詳細に説明する。
【００４１】
記録部２５は、中間トレイから表面印刷された用紙を搬送し（ステップＳ２０８）、属性情報の画像データ生成処理工程Ｓ２０７において生成され、ページメモリ２６に格納された属性情報の画像データ（以下、属性データという）をページメモリ２６から読み出して記録用紙の裏面に印刷出力し（ステップＳ２０９）、裏面印刷された用紙を排紙トレイに排紙する（ステップＳ２１０）。
【００４２】
制御部１０は、次の用紙が中間トレイに有るか否かを判断し（ステップＳ２１１）、有る場合（ステップＳ２１１：ＹＥＳ）、ステップＳ２０８へと処理を戻しステップＳ２０９、Ｓ２１０及びＳ２１１での処理を繰り返す。次の用紙が中間トレイに無い場合（ステップＳ２１１：ＮＯ）、印刷出力ルーチンからメインルーチン（図示せず）へと処理が戻される。
【００４３】
図３は、図２の属性情報の画像データ生成処理工程Ｓ２０７の手順を示すフローチャートである。制御部１０は、タイマ２１から画像の形成時における日時データ（例えば、“２００５年４月２１日  １５：３０”）を読み出し（ステップＳ３０１）、ＲＡＭ１２の自機情報記憶部１２ａから複合機１の設置部署名及び機械番号を含む自機情報（例えば、“経理（Ｎｏ．１機）”）を読み出す（ステップＳ３０２）。
【００４４】
次に、制御部１０は、ＬＡＮにネットワーク接続されている外部の端末装置３０、３１、３２から送信されてきた画像データを印刷出力するネットワークプリントモードであるか、又は画像読取部１５により原稿を読み取って取得した画像データを印刷出力するコピーモードであるかを判断し（ステップＳ３０３）、ネットワークプリントモードである場合（ステップＳ３０３：ＹＥＳ）、ＲＡＭ１２の端末情報記憶部１２ｂから、送信された画像データファイルのヘッダー部のＩ／Ｐアドレスに対応する端末設置部署名及び使用者名を含む端末情報（例えば、“開発（木村）”）を読み出す（ステップＳ３０４）。一方、原稿画像データを印刷出力するコピーモードである場合（ステップＳ３０３：ＮＯ）、個人ＩＤの照合時にＲＡＭ１２の個人情報記憶部１２ｃから読み出してＲＡＭ１２のワークエリアに一時的に格納している、個人ＩＤに対応する所属部署名及び個人名を含む個人情報（例えば、“開発（木村）”）を読み出す（ステップＳ３０５）。
【００４５】
制御部１０は、属性情報のキャラクタコードをバーコードに変換するか否かという旨を表示部２０に表示し（ステップＳ３０６）、バーコードに変換しない旨が操作部１９から入力された場合（ステップＳ３０６：ＮＯ）、デコーダ２３にてキャラクタコードをビットイメージに展開し（ステップＳ３０７）、ビットイメージデータである属性データをページメモリ２６に格納する（ステップＳ３１０）。
【００４６】
一方、キャラクタコードをバーコードに変換する旨が操作部１９から入力された場合（ステップＳ３０６：ＹＥＳ）、制御部１０にてキャラクタコードをバーコードに変換し（ステップＳ３０８）、同じく制御部１０にてバーコードのビットイメージデータである属性データを生成し（ステップＳ３０９）、ページメモリ２６に格納する（ステップＳ３１０）。以上のようにして、属性情報の画像データ生成処理が行われる。
【００４７】
図６（ａ）は、図２及び図３の処理により記録用紙の表面に印刷された文字データ及び画像データの一例を示す模式図で、図６（ｂ）は、図６（ａ）の記録用紙の裏面に印刷された属性データの一例を示す模式図である。図６（ｂ）に示すように、属性データ６０はバーコードで印刷されており、上述したような“２０００年４月２１日  １５：３０”という日時データを表す部分６０ａと、“経理（Ｎｏ．１機）”という自機情報を表す部分６０ｂと、“開発（木村）”という端末情報又は個人情報を表す部分６０ｃとから構成されている。
【００４８】
以下では、個人認証機能を有する複合機１において、画像読取部１５にて原稿を読み取って画像データを取得する処理について説明する。図４は、複合機１による原稿読取ルーチンの処理手順を示すフローチャートである。
【００４９】
まず、制御部１０は、原稿が自動原稿搬送装置に載置されたことを検出すると、原稿読取ルーチンに入り、個人ＩＤを操作部１９から入力するよう表示部２０に表示し、操作部１９から個人ＩＤが入力されると（ステップＳ４０１：ＹＥＳ）、入力された個人ＩＤが複合機１の使用を許可しているＲＡＭ１２に予め登録された個人ＩＤと照合し、照合の結果一致する個人ＩＤが有る場合（ステップＳ４０２：ＹＥＳ）、個人ＩＤに対応する個人情報をＲＡＭ１２の個人情報記憶部１２ｃから読み出してＲＡＭ１２のワークエリアに格納する（ステップＳ４０３）。
【００５０】
次に、制御部１０は、複合機１の機能モードが、画像読取部１５にて原稿を読み取って取得した画像データを記録部２５にて印刷出力するコピーモードであるのか、又は外部のファクシミリ装置又は端末装置に画像データを送信する画像送信モードであるのかを操作部１９の設定から判断し（ステップＳ４０４）、コピーモードである場合（ステップＳ４０４：ＹＥＳ）、印刷部数、用紙サイズ、印刷濃度等の印刷条件が操作部１９にて設定され（ステップＳ４０５）、コピーボタンが押されるのを待つ（ステップＳ４０６）。制御部１０は、コピーボタンが押されると（ステップＳ４０６：ＹＥＳ）、ステップＳ４０７に処理を進める。一方、複合機１の機能モードが画像送信モードである場合（ステップＳ４０４：ＮＯ）、制御部１０はステップＳ４０７へと処理を分岐させる。
【００５１】
次に、制御部１０は、画像読取部１５にて原稿画像を読み取って（ステップＳ４０７）、ＣＯＤＥＣ１７にて符号化処理を施した画像データを画像メモリ１８に格納し（ステップＳ４０８）、全枚数の原稿の読み取りが終了したか否かを判断し（ステップＳ４０９）、全枚数の原稿の読み取りが終了していない場合（ステップＳ４０９：ＮＯ）、ステップＳ４０７に処理を戻しステップＳ４０８、Ｓ４０９を繰り返し、全枚数の原稿の読み取りが終了した場合（ステップＳ４０９：ＹＥＳ）、原稿読取ルーチンからメインルーチン（図示せず）へと処理を戻す。
【００５２】
以下では、図３に示す属性情報の画像データ生成処理工程Ｓ２０７において、属性情報のキャラクタコードをバーコードに変換してビットイメージの属性データを印刷出力した印刷済み用紙を複合機１の画像読取部１５にて読み取り、バーコードの内容を解読して表示部２０に表示（又は、記録部２５にて印刷出力）する処理（以下、属性確認処理という）について説明する。図５は、複合機１による属性確認ルーチンの処理手順を示すフローチャートである。
【００５３】
まず、属性データが印刷された印刷済み用紙の裏面の画像を読み取って（ステップＳ５０１）、制御部１０は、用紙裏面の所定位置に印刷されている属性データのバーコード（又は、ＱＲコード）を抽出する（ステップＳ５０２）。制御部１０は、コードが抽出されたか否かを判断し（ステップＳ５０３）、抽出されなかった場合（ステップＳ５０３：ＮＯ）、コードの抽出エラーを表示部２０に表示する（ステップＳ５０４）。
【００５４】
一方、コードが抽出された場合（ステップＳ５０３：ＹＥＳ）、制御部１０は、コードの内容が解読されたか否かを判断し（ステップＳ５０５）、用紙の破損、汚れ等によりコードの内容が解読されなかった場合（ステップＳ５０５：ＮＯ）、コードの解読エラーを表示部２０に表示する（ステップＳ５０６）。コードの内容が解読された場合（ステップＳ５０５：ＹＥＳ）、コードの解読内容を属性情報として表示部２０に表示する（ステップＳ５０７）。
【００５５】
以上説明したように、本実施の形態によれば、日時情報、自機情報、及び端末情報又は個人情報を属性情報として文字データ及び画像データとともに記録用紙に印刷出力することで、印刷済み用紙を見ただけで、いつ、何処で（どの部署のどの機械で）、（どの部署の）誰が印刷したものであるかを知ることができ、放置されている印刷済み用紙の持ち主に対して電子メールの一斉送信等で間接的に又は電話、電子メール等で直接的に注意を促すか、或いは印刷済み用紙を持ち主に手渡すことが可能となる。
【００５６】
また、属性情報を目視では解読不能である画像として印刷出力し、複合機の属性確認機能を利用して１次元のバーコード、２次元のＱＲコード等にコード化された属性情報の内容を解読することができ、個人情報等の漏洩を防止することが可能となる。
【００５７】
なお、本実施の形態では、画像形成装置として複合機を例に挙げて説明したが、本発明は複合機に限定されるものではなく、他のたとえば複写装置、ネットワークプリンタ等にも適用可能であることは言うまでもない。
【００５８】
また、本実施の形態では、記録部２５として両面プリンタを用いて記録用紙の表面に画像データを印刷し、記録用紙の裏面に属性データを印刷する構成について例示及び説明したが、本発明はかかる構成に限定されるものではなく、記録用紙の表面に画像データを印刷し、記録用紙の表面の画像データ印刷範囲内又は印刷範囲外にのみ属性データを印刷する、又は記録用紙の表面の画像データ印刷範囲内又は印刷範囲外と裏面とにそれぞれ異なる属性データを印刷するなど様々な構成にも適用可能である。
【００５９】
また、本実施の形態では、個人情報を取得する際に、操作部１９から個人ＩＤを入力する構成について例示及び説明したが、本発明はかかる構成に限定されるものではなく、例えば音声認識、指紋認証等により個人情報を取得する構成にも適用可能である。
【図面の簡単な説明】
【００６０】
【図１】本発明の実施の形態に係る画像形成装置を複合機に適用した場合の構成例を示すブロック図である。
【図２】本発明の実施の形態に係る複合機による印刷出力ルーチンの処理手順を示すフローチャートである。
【図３】図２の属性情報の画像データ生成処理工程の手順を示すフローチャートである。
【図４】本発明の実施の形態に係る複合機による原稿読取ルーチンの処理手順を示すフローチャートである。
【図５】本発明の実施の形態に係る複合機による属性確認ルーチンの処理手順を示すフローチャートである。
【図６】図２及び図３の処理により記録用紙の表面に印刷された文字データ及び画像データの一例を示す模式図（ａ）、及び図６（ａ）の記録用紙の裏面に印刷された属性データの一例を示す模式図（ｂ）である。
【符号の説明】
【００６１】
１０  制御部（取得手段、抽出手段）
１１  ＲＯＭ
１２  ＲＡＭ
１３  ＮＣＵ
１４  モデム
１５  画像読取部
１６  読取画像処理部
１７  ＣＯＤＥＣ
１８  画像メモリ
１９  操作部（取得手段）
２０  表示部
２１  タイマ（時計手段）
２２  ＬＡＮインタフェース
２３  デコーダ（形成手段）
２４  印刷画像処理部（形成手段）
２５  記録部（形成手段）
２６  ページメモリ（形成手段）
３０、３１、３２  端末装置
１２ａ  自機情報記憶部（記憶手段）
１２ｂ  端末情報記憶部（抽出手段）
１２ｃ  個人情報記憶部（取得手段）
【図１】
2006315209.tif 000003
【図２】
2006315209.tif 000004
【図３】
2006315209.tif 000005
【図４】
2006315209.tif 000006
【図５】
2006315209.tif 000007
【図６】
2006315209.tif 000008